(57)【特許請求の範囲】
【請求項１】
複数の動画像ファイルと静止画像ファイルとを取得する取得手段と、
その取得手段によって取得された複数の動画像ファイルの各々から複数のフレーム画像を抽出する抽出手段と、
前記取得手段によって取得された動画像ファイルの総数に到達するまで前記取得手段によって取得された動画像ファイルの数を計数する計数手段と、
その計数手段によって計数される計数値毎に、１つ前の計数値により算出される色値と色合いの異なる色値を算出する算出手段と、
その算出手段によって算出された色値の各々を、前記取得手段により取得された動画像ファイルの各々に設定する設定手段と、
その設定手段により設定された色値を、その色値に対応する動画像ファイルから抽出された各フレーム画像に対し、同一の動画像ファイルから抽出されたフレーム画像であることを示す識別情報として割り当てる識別情報割当手段と、
その識別情報割当手段によって割り当てられた前記識別情報が付加された複数のフレーム画像と、前記取得手段によって取得された静止画像ファイルが示す静止画像とを、同一出力面上に出力させる出力制御手段とを備えていることを特徴とする画像処理装置。
【請求項２】
記録用紙に画像を記録する記録手段と、
前記識別情報を前記フレーム画像の各々に合成した複数の合成画像を生成する生成手段とを備え、
前記出力制御手段は、前記生成手段によって生成された複数の合成画像、又は、前記複数の合成画像と前記静止画像とを、前記記録手段によって前記記録用紙の同一紙面上に記録させることを特徴とする請求項１に記載の画像処理装置。
【請求項３】
前記識別情報は、記号、数字、文字、色、図形のうちの一つ又は二つ以上の組み合わせで構成されることを特徴とする請求項１又は２に記載の画像処理装置。
【請求項４】
前記色値は、ＨＳＶ色空間のＨ値、Ｓ値、Ｖ値であることを特徴とする請求項１から３のいずれかに記載の画像処理装置。
【請求項５】
前記ＨＳＶ色空間のＳ値、Ｖ値は、
Ｓ値＝１．０、
Ｖ値＝１．０とし、
前記ＨＳＶ色空間のＨ値を０から３６０までの範囲で変化させて前記色合いを変化させることを特徴とする請求項４に記載の画像処理装置。
【請求項６】
前記ＨＳＶ色空間のＨ値は、
Ｈ値＝（計数値×係数）ｍｏｄ３６０
として算出し、前記係数は、３６０の約数に含まれずかつ６０に近い所定の整数であることを特徴とする請求項５に記載の画像処理装置。
【請求項７】
前記係数は、６７であることを特徴とする請求項６に記載の画像処理装置。
【発明の詳細な説明】
【技術分野】
【０００１】
本発明は、画像処理装置に関するものである。
【背景技術】
【０００２】
近年では、デジタルカメラを用いて動画と静止画とを撮影できるため、撮影シーンに応じて、動画と静止画とを使い分けて撮影するシーンが存在している。例えば、運動会など動きのあるシーンでは動画で撮影し、集合写真などの動きのないシーンでは静止画で撮影されている。
【０００３】
また、かかるデジタルカメラで撮影した動画（動画をフレーム単位で抽出したフレーム画像）と静止画とが混在した画像一覧を、印刷出力したり、ディスプレイに表示する装置も提案されている。例えば、次の特許文献１には、動画と静止画とを区別可能な態様でディスプレイ７に表示するプリントシステムが記載されている。  
【特許文献１】特開２００５−１３０２５４号公報（段落第「００３６」、図９）
【発明の開示】
【発明が解決しようとする課題】
【０００４】
しかしながら、上述した特許文献１に記載されているプリントシステムでは、動画と静止画とを区別できるものの、複数のフレーム画像を表示する場合には、その各フレーム画像が同一の動画像ファイル（撮影開始から撮影終了までを一単位とする動画像ファイル）から抽出されたフレーム画像であるか否かが分かり難い。
【０００５】
また、上記フレーム画像と静止画像を並べ替えて表示する場合、同一の動画像ファイルから抽出されたフレーム画像が一連のまとまりとならずに、分り難いという問題があった。
【０００６】
本発明は、上記の問題点を解決するためになされたものであり、同一の動画像ファイルから抽出されたフレーム画像であることが簡単に分かるフレーム画像と静止画像とが混在した画像一覧を出力することができる画像処理装置を提供することを目的としている。
【課題を解決するための手段】
【０００７】
この目的を達成するために、請求項１記載の画像処理装置は、複数の動画像ファイルと静止画像ファイルとを取得する取得手段と、その取得手段によって取得された複数の動画像ファイルの各々から複数のフレーム画像を抽出する抽出手段と、前記取得手段によって取得された動画像ファイルの総数に到達するまで前記取得手段によって取得された動画像ファイルの数を計数する計数手段と、その計数手段によって計数される計数値毎に、１つ前の計数値により算出される色値と色合いの異なる色値を算出する算出手段と、その算出手段によって算出された色値の各々を、前記取得手段により取得された動画像ファイルの各々に設定する設定手段と、その設定手段により設定された色値を、その色値に対応する動画像ファイルから抽出された各フレーム画像に対し、同一の動画像ファイルから抽出されたフレーム画像であることを示す識別情報として割り当てる識別情報割当手段と、その識別情報割当手段によって割り当てられた前記識別情報が付加された複数のフレーム画像と、前記取得手段によって取得された静止画像ファイルが示す静止画像とを、同一出力面上に出力させる出力制御手段とを備えている。
【０００８】
請求項２記載の画像処理装置は、請求項１に記載の画像処理装置において、記録用紙に画像を記録する記録手段と、前記識別情報を前記フレーム画像の各々に合成した複数の合成画像を生成する生成手段とを備え、前記出力制御手段は、前記生成手段によって生成された複数の合成画像、又は、前記複数の合成画像と前記静止画像とを、前記記録手段によって前記記録用紙の同一紙面上に記録させる。
【０００９】
請求項３記載の画像処理装置は、請求項１又は２に記載の画像処理装置において、前記識別情報は、記号、数字、文字、色、図形のうちの一つ又は二つ以上の組み合わせで構成される。
【００１０】
請求項４記載の画像処理装置は、請求項１から３のいずれかに記載の画像処理装置において、前記色値は、ＨＳＶ色空間のＨ値、Ｓ値、Ｖ値である。

【００１１】
請求項５記載の画像処理装置は、請求項４に記載の画像処理装置において、前記ＨＳＶ色空間のＳ値、Ｖ値は、Ｓ値＝１．０、Ｖ値＝１．０とし、前記ＨＳＶ色空間のＨ値を０から３６０までの範囲で変化させて前記色合いを変化させる。
【００１２】
請求項６記載の画像処理装置は、請求項５に記載の画像処理装置において、前記ＨＳＶ色空間のＨ値は、Ｈ値＝（計数値×係数）ｍｏｄ３６０として算出し、前記係数は、３６０の約数に含まれずかつ６０に近い所定の整数である。

【００１３】
請求項７記載の画像処理装置は、請求項６に記載の画像処理装置において、前記係数は、６７である。
【発明の効果】
【００１４】
請求項１記載の画像処理装置によれば、複数の動画像ファイルの各々から抽出されたフレーム画像の各々に関し、同一の動画像ファイルから抽出されたフレーム画像には、同一の動画像ファイルから抽出されたフレーム画像であることを示す識別情報が識別情報割当手段によって割り当てられる。そして、その割り当てられた識別情報が付加された複数のフレーム画像と静止画像とが出力制御手段によって同一出力面上に出力される。よって、その識別情報を手掛かりにすることで、同一の動画像ファイルから抽出されたフレーム画像であることが簡単に分かるフレーム画像と静止画像とが混在した画像一覧を出力することができるという効果がある。
また、識別情報割当手段によってフレーム画像の各々に割り当てられる識別情報は、取得手段によって取得された動画像ファイルの総数と同数が設定手段によって設定されるので、取得手段によって取得された動画像ファイルの総数にかかわらず、同じ動画像ファイルから抽出されたフレーム画像の各々に識別情報を割り当てられることができる。従って、その識別情報を手掛かりにすることで、同一の動画像ファイルから抽出されたフレーム画像であることが簡単、且つ、確実に分かるフレーム画像と静止画像とが混在した画像一覧を出力することができるという効果がある。
また、計数手段によって計数される計数値毎に、１つ前の計数値により算出される色値と色合いの異なる色値が算出手段によって算出され、設定手段は、その算出手段によって算出された色値を識別情報として設定するので、各動画像ファイル毎に異なる識別情報を簡単に設定することができる上、視覚的に一見して同じ動画像ファイルから抽出されたフレーム画像であることと、静止画とが容易にかつ確実に区別可能な画像一覧を出力することができるという効果がある。
【００１５】
請求項２記載の画像処理装置によれば、請求項１に記載の画像処理装置の奏する効果に加え、フレーム画像の各々に識別情報が合成された複数の合成画像が生成され、その複数の合成画像、又は、前記複数の合成画像と静止画像とは、記録手段によって記録用紙の同一紙面上に記録される。よって、記録用紙の同一紙面上に、同一の動画像ファイルから抽出されたフレーム画像であることが簡単に分かるフレーム画像と静止画像とが混在した画像一覧を記録することができるという効果がある。
【００１６】
請求項３記載の画像処理装置によれば、請求項１又は２に記載の画像処理装置の奏する効果に加え、識別情報は、記号、数字、文字、色、図形のうちの一つ又は二つ以上の組み合わせで構成されるので、視覚的に一見して同じ動画像ファイルから抽出されたフレーム画像であることが簡単に分かるフレーム画像と静止画像とが混在した画像一覧を出力することができるという効果がある。
【００１９】
請求項４記載の画像処理装置によれば、請求項１から３のいずれかに記載の画像処理装置の奏する効果に加え、前記色値は、ＨＳＶ色空間のＨ値、Ｓ値、Ｖ値であるので、計数手段によって計数される計数値毎に異なるＨ値、Ｓ値、Ｖ値を算出することができるという効果がある。
【００２０】
請求項７記載の画像処理装置によれば、請求項１から４のいずれかに記載の画像処理装置の奏する効果に加え、識別情報割当手段によってフレーム画像の各々に割り当てられる識別情報は、取得手段によって取得された動画像ファイルの各々に付加されている時間情報が設定手段によって設定されるので、取得手段によって取得された動画像ファイルの総数にかかわらず、同じ動画像ファイルから抽出されたフレーム画像の各々に同じ識別情報を割り当てられることができる。従って、その識別情報を手掛かりにすることで、同一の動画像ファイルから抽出されたフレーム画像であることが簡単、且つ、確実に分かる画像一覧を出力することができるという効果がある。
【発明を実施するための最良の形態】
【００２１】
以下、本発明の好ましい実施形態について、添付図面を参照して説明する。図１は、本発明の画像処理装置の一実施形態としての多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示した斜視図である。ＭＦＰ１は、特に、同一の動画像ファイルから抽出されたインデックス画像であることが簡単に分かるインデックス画像と静止画像とが混在した画像一覧を出力することができる装置である。
【００２２】
このＭＦＰ１は、フォトキャプチャー機能、コピー機能、スキャナ機能、メディアキャプチャ機能などの各種機能を有する多機能周辺装置である。メディアキャプチャ機能では、後述するスロット部６に装着されたメディアカードから画像ファイルを読み出して印刷出力する処理、メディアカードから読み出した画像ファイルに対応した画像をＬＣＤ５に表示出力する処理、スキャナ機能により読み取られた画像データをメディアカードに保存する処理などを実行できる。
【００２３】
ＭＦＰ１の上部には、原稿を読み取るためのスキャナ２が配置されている。また、筐体内部には記録用紙に画像を印刷する装置として、所謂インクジェットプリンタで構成されたプリンタ３が内蔵されている。
【００２４】
また、ＭＦＰ１の前面には、スロット部６が設けられている。このスロット部６には、コンパクトフラッシュ（登録商標）、ＳＤメモリカードなどの各種メディアカードを直接挿入できるカードスロットが設けられている。
【００２５】
また、原稿カバー体の前方には、操作パネルが設けられており、複数のキーやタッチパネルで構成される操作部４、およびＬＣＤ５を具備する。ＭＦＰ１は、ＬＣＤ５に操作手順や実行中の処理の状態を表示させると共に、操作部４の操作に対応する情報を表示させる。
【００２６】
図２を参照して、ＭＦＰ１の電気的構成について説明する。図２は、ＭＦＰ１の電気的構成を示すブロック図である。ＭＦＰ１は、ＣＰＵ１１、ＲＯＭ１２、ＲＡＭ１３、ＥＥＰＲＯＭ１４、スキャナ２、プリンタ３、操作部４、ＬＣＤ５、スロット部６を主に有している。
【００２７】
このうち、ＣＰＵ１１、ＲＯＭ１２、ＲＡＭ１３、ＥＥＰＲＯＭ１４は、バスライン２６を介して互いに接続されている。また、スキャナ２、プリンタ３、操作部４、ＬＣＤ５、スロット部６、バスライン２６は、入出力ポート２７を介して互いに接続されている。
【００２８】
ＣＰＵ１１は、ＲＯＭ１２、ＲＡＭ１３やＥＥＰＲＯＭ１４に記憶される固定値やプログラムに従って、ＭＦＰ１が有している各機能の制御や、入出力ポート２７と接続された各部を制御するものである。
【００２９】
ＲＯＭ１２は、ＣＰＵ１１によって実行される制御プログラム１２ａを記憶すると共に、電源遮断後も内容を保持可能な不揮発性のメモリである。制御プログラム１２ａは、後述する図７〜図１１にフローチャートで示す処理を実行するためのプログラムを含んでいる。
【００３０】
ＲＯＭ１２には、さらに横方向画像配置数記憶領域１２ｂ、１ページ画像配置数記憶領域１２ｃが設けられている。
【００３１】
横方向画像配置数記憶領域１２ｂは、「横方向の配置枚数」を記憶する領域である。「横方向の配置枚数」は、画像一覧において、横一列に並べて配置可能なインデックス画像の数を示す値である。なお、本実施形態のＭＦＰ１には、予め印刷用紙サイズ（Ｌ版、Ａ４、Ｌｅｔｔｅｒなど）、および印刷モード（高精細、普通、高速など）に応じて、複数種類の「横方向の配置枚数」が記憶されており、後述する配置印刷処理（図１０，図１１参照）では、この中から適した値を読み出して用いるものとして説明する。
【００３２】
１ページ画像配置数記憶領域１２ｃは、「１ページ内画像配置数」を記憶する領域である。「１ページ内画像配置数」は、１ページ分の記録用紙に形成する画像一覧に、最大で何個分のインデックス画像を配置可能であるかを示す値である。なお、本実施形態においては、予め印刷用紙サイズおよび印刷モードに応じて、複数種類の「１ページ内画像配置数」が記憶されており、後述する配置印刷処理（図１０，図１１参照）では、この中から適した値を読み出して用いるものとして説明する。
【００３３】
ＲＡＭ１３は、ＭＦＰ１の各操作の実行時に各種のデータを一時的に記憶するためのメモリであり、抽出フレーム数記憶領域１３ａ、処理ファイル数記憶領域１３ｂ、処理画像総数記憶領域１３ｃ、生成ページ数記憶領域１３ｄ、グループ情報記憶領域１３ｇ、ファイル情報記憶領域１３ｈ、配置情報記憶領域１３ｉ、フレーム画像情報記憶領域１３ｊ、デコードデータ記憶領域１３ｋ、カウンタ記憶領域１３ｍ、識別画像記憶領域１３ｎが設けられている。
【００３４】
ここで、本実施形態で用いる用語の意味を説明する。本実施形態において、「動画像」とは、多数のフレーム画像を切り替え表示することにより再生される画像を意味している。「動画像ファイル」は、動画像を再生するためのファイルであって、例えば、ＡＶＩ動画ファイル、クイックタイム動画ファイルなどで構成される。ただし、動画像を再生可能な情報であれば、どのような形式のファイルであっても差し支えない。また、本実施形態において、「フレーム画像情報」は、動画像を構成する１のフレーム画像に対応した情報を意味している。
【００３５】
抽出フレーム数記憶領域１３ａは、「フレーム画像抽出枚数」を記憶する領域である。「フレーム画像抽出枚数」は、１の動画像ファイル当たり、何枚分のフレーム画像に対応したフレーム画像情報を抽出するかを示す値である。例えば、「フレーム画像抽出枚数」として「５」が記憶されている場合、ＭＦＰ１は、メディアカードに格納された動画像ファイルの各々について、１の動画像ファイル当たり、５枚のフレーム画像に対応したフレーム画像情報を抽出し、その抽出したフレーム画像情報に基づいて、１の動画像ファイル当たり、５個のインデックス画像を、画像一覧に配置する。
【００３６】
本実施形態のＭＦＰ１は、ユーザが操作部４から入力した任意の値を「フレーム画像抽出枚数」として、抽出フレーム数記憶領域１３ａに記憶するものとして説明するが、「フレーム画像抽出枚数」が予めＲＯＭ１２などに記憶されていたり、動画像ファイルのサイズが大であるほど、「フレーム画像抽出枚数」が大となるように予め定められた関係に従って、「フレーム画像抽出枚数」が自動的に決定されても良い。
【００３７】
処理ファイル数記憶領域１３ｂは、「総処理ファイル数」を記憶する領域である。「総処理ファイル数」は、メディアカードに格納される静止画像ファイルと動画像ファイルの合計を示す値である。
【００３８】
処理画像総数記憶領域１３ｃは、「処理画像総数」を記憶する領域である。「処理画像総数」は、画像一覧内に形成するインデックス画像の総数を示す値である。生成ページ数記憶領域１３ｄは、「生成ページ数」を記憶する領域である。「生成ページ数」は、後述する配置印刷処理（図１０、図１１）の実行により出力する画像一覧の総ページ数を示す値である。
【００３９】
グループ情報記憶領域１３ｇ、ファイル情報記憶領域１３ｈ、配置情報記憶領域１３ｉについては、図４から図６を参照して後述する。
【００４０】
フレーム画像情報記憶領域１３ｊは、動画像ファイルから抽出されるフレーム画像情報を格納する領域である。デコードデータ記憶領域１３ｋは、フレーム画像情報をデコード処理した結果、または、静止画像ファイルをデコード処理した結果を記憶する領域である。カウンタ記憶領域１３ｍは、各種カウンタを記憶する領域である。
【００４１】
識別画像記憶領域１３ｎは、動画像ファイルから抽出されるインデックス画像について、同一の動画像ファイルから抽出されたインデックス画像であることを示す識別画像を格納する領域である。この識別画像は、インデックス画像を配置する透明な透明領域と、その透明領域の周囲を囲む有色な有色領域とによって構成されている。
【００４２】
有色領域を着色する色は、後述する画像識別情報から特定し、その特定された色で有色領域を着色する。そして、その着色された有色領域に囲まれた透明領域にインデックス画像を配置して印刷出力する。有色領域に着色する色は、各動画像ファイル毎に異なる色に設定され、各動画像ファイルから抽出される一以上のインデックス画像の各々は同じ色で着色する。
【００４３】
図３（ａ）は、ＭＦＰ１が、１ページの記録用紙に印刷出力する画像一覧２０の一例を示す図である。図３（ａ）に示すように、画像一覧２０には、各動画像ファイルから抽出される一以上のフレーム画像情報の各々に対応する一以上のインデックス画像２１ａ，２１ｂ，２１ｃと、静止画像ファイルに対応するインデックス画像２２とからなる画像群が、所定の条件に従った順序で配列されている。
【００４４】
ＭＦＰ１は、メディアカードに静止画像ファイルと動画像ファイルとが混在している場合、図３（ａ）に示すように、フレーム画像情報に対応するインデックス画像２１ａ，２１ｂ，２１ｃと、静止画像ファイルに対応するインデックス画像２２とが混在した画像一覧２０を出力する。よって、ユーザは、動画像ファイルの内容を示すインデックス画像２１ａ，２１ｂ，２１ｃと、静止画像ファイルの内容を示すインデックス画像２２とを、１ページの画像一覧２０によって、一度に視認することができ、利便性が高い。
【００４５】
４つのインデックス画像２１ａは、第１の動画像ファイルから抽出される４つのフレーム画像情報の各々に対応する４つのインデックス画像であり、その４つのインデックス画像２１ａの各々の周囲は、第１の色（例えば青）で構成されるフレームＦ１（有色領域）で囲まれている。
【００４６】
２つのインデックス画像２１ｂは、第１の動画像ファイルとは異なる第２の動画像ファイルから抽出される２つのフレーム画像情報の各々に対応する２つのインデックス画像であり、その２つのインデックス画像２１ｂの各々の周囲は、第１の色とは異なる第２の色（例えば、緑）で構成されるフレームＦ２（有色領域）で囲まれている。
【００４７】
３つのインデックス画像２１ｃは、第１，第２の動画像ファイルとは異なる第３の動画像ファイルから抽出される３つのフレーム画像情報の各々に対応する３つのインデックス画像であり、その３つのインデックス画像２１ｃの各々の周囲は、第１，第２の色とは異なる第３の色（例えば、赤）で構成されるフレームＦ３（有色領域）で囲まれている。
【００４８】
即ち、動画像ファイルから抽出されるフレーム画像情報に対応するインデックス画像２１ａ，２１ｂ，２１ｃのうち、同じ動画像ファイルから抽出される一以上のインデックス画像２１ａ，２１ｂ，２１ｃの各々には、同じ色のフレームＦ１，Ｆ２，Ｆ３を付加して印刷出力する。
【００４９】
一方、図３（ｂ）は、図３（ａ）に示す画像一覧２０において、各フレームＦ１，Ｆ２，Ｆ３を付加していない状態の画像一覧２０を示す図である。図３（ａ）と、図３（ｂ）とを見比べれば明らかなように、図３（ａ）に画像一覧２０では、各フレームＦ１，Ｆ２，Ｆ３の色を手掛かりにすることで、同一の動画像ファイルから抽出されたインデックス画像であることが一見しただけで簡単に分かる。
【００５０】
また、ＭＦＰ１は、インデックス画像２１ａ，２１ｂ，２１ｃ，２２を含む画像群が、撮影日時に従った順序で配列されるように、インデックス画像２１ａ，２１ｂ，２１ｃ，２２の各々について配置順序を決定し、その決定した配置順序でインデックス画像２１ａ，２１ｂ，２１ｃ，２２を配列した画像一覧２０を出力する。
【００５１】
図３に示す画像一覧２０はその一例であるが、例えば、画像一覧２０の上段から下段へ向かうにつれて、且つ、左側から右側へ向かうにつれて撮影日時が新しくなるような順序で、インデックス画像２１ａ，２１ｂ，２１ｃ，２２が配列するように配置順序を決定する。
【００５２】
詳細な説明は後述するが、ＭＦＰ１は、静止画像ファイルに基づくインデックス画像２２であるか、動画像ファイルに基づくインデックス画像２１ａ，２１ｂ，２１ｃであるかに関わらず、撮影日時を条件としてソートした配置順序を決定し、その配置順序でインデックス画像２１ａ，２１ｂ，２１ｃ，２２を配列した画像一覧２０を出力する。よって、例えば、動画像で撮影したか、静止画像で撮影したかをユーザが覚えていない場合であっても、撮影日時がかなり古いものであるのか、あるいは最近のものであるのかなど、撮影日時を手がかりに、目的とする画像を迅速に探し当てることができる。
【００５３】
また、詳細は後述するが、本実施形態のＭＦＰ１は、インデックス画像２１ａ，２１ｂ，２１ｃ，２２を撮影日毎のグループに分類し、グループ毎に画像一覧２０を出力するように構成されている。よって、例えば、画像一覧２０のヘッダ部分に、グループの撮影日２３が印刷されても良い。
【００５４】
図４は、ファイル情報記憶領域１３ｈの構成を模式的に示す図である。図４に示すように、ファイル情報記憶領域１３ｈには、ファイルＩＤを記憶するファイルＩＤ記憶領域２０１、ファイル名を記憶するファイル名記憶領域２０２、ファイル種類を記憶するファイル種類記憶領域２０３、抽出フレーム数を記憶する抽出フレーム数記憶領域２０４、総フレーム数を記憶する総フレーム数記憶領域２０５、ｆｐｓ情報を記憶するｆｐｓ情報記憶領域２０６、ファイル日付情報を記憶するファイル日付情報記憶領域２０７、ファイル時間情報を記憶するファイル時間情報記憶領域２０８、ファイル識別情報記憶領域２０９が設けられ、ファイル名、ファイル種類、抽出フレーム数、ｆｐｓ情報、ファイル日付情報、ファイル時間情報、画像識別情報からなるファイル情報２００を、そのファイル情報２００を管理するファイルＩＤに対応付けて記憶する。ＭＦＰ１は、画像一覧２０（図３参照）におけるインデックス画像２１ａ，２１ｂ，２１ｃ，２２の配置順序を決定するための準備処理として、メディアカード内に格納された静止画像ファイルまたは動画像ファイルの各々についてファイル情報２００を作成し、ファイル情報記憶領域１３ｈに格納する。
【００５５】
ファイルＩＤ記憶領域２０１は、ファイルＩＤを記憶する領域である。ファイル名記憶領域２０２は、静止画像ファイルまたは動画像ファイルのファイル名を格納する領域である。図４に示すように、各ファイル名には、拡張子が付加されている。例えば、画像ファイルがＪＰＥＧファイルである場合は拡張子「ｊｐｇ」が付加され、ＡＶＩ動画ファイルである場合は拡張子「ａｖｉ」が付加され、クイックタイム動画ファイルである場合は拡張子「ｍｏｖ」が付加される。
【００５６】
ファイル種類記憶領域２０３は、各画像ファイルの種類（フォーマット）を示す値を格納する領域である。画像ファイルの種類は、例えば、ファイル名に付加された拡張子に基づいて判定することができる。本実施形態では、画像ファイルの形式がＪＰＥＧファイル（拡張子ｊｐｇ）である場合、ＪＰＥＧファイルであることを示す値「０」をファイル種類記憶領域２０３に格納し、画像ファイルの形式がＡＶＩ動画ファイル（拡張子ａｖｉ）である場合、値「１」をファイル種類記憶領域２０３に格納し、画像ファイルの形式がクイックタイム動画ファイル（拡張子ｍｏｖ）である場合、値「２」をファイル種類記憶領域２０３に格納する。
【００５７】
なお、各画像ファイルの先頭から数バイト分に格納されている情報に基づいて画像ファイルの種類を判定することもできる。例えば、先頭から２バイトが「０ｘＦＦＤ８」であればＪＰＥＧファイルであると判定できるし、先頭から２バイトが「０ｘ４２４Ｄ」であれば、ビットマップデータであると判定することができる。これらの情報に基づいて、画像ファイルの種類を判定しても差し支えない。
【００５８】
抽出フレーム数記憶領域２０４は、何枚分のフレーム画像に対応したフレーム画像情報を、画像ファイルから抽出するかを示す値を記憶する領域である。静止画像ファイルの場合、抽出フレーム数記憶領域２０４には「１」が格納される。一方、動画像ファイルの場合、抽出フレーム数記憶領域２０４には、「２」以上の値が格納される。
【００５９】
総フレーム数記憶領域２０５は、各画像ファイルの総フレーム数を格納する領域である。動画像ファイルの場合は動画像ファイルに含まれる総フレーム数が格納され、静止画像である場合は常に１が格納される。
【００６０】
ｆｐｓ情報記憶領域２０６は、各画像ファイルのｆｐｓ（Ｆｒａｍｅ  Ｐｅｒ  Ｓｅｃｏｎｄ）情報を格納する領域である。静止画像ファイルである場合には「０」が格納される。一方、動画像ファイルである場合には、例えば、１秒間に６０フレーム画像が存在することを示す「６０」や、１秒間に３０フレーム画像が存在することを示す「３０」が、このｆｐｓ情報記憶領域２０６に格納される。
【００６１】
ファイル日付情報記憶領域２０７は、各画像ファイルの撮影日を表すファイル日付情報を格納する領域である。例えば、撮影日「２００８年１月１５日」は、ファイル日付情報「２００８０１１５」として表すものとする。
【００６２】
ファイル時間情報記憶領域２０８は、各画像ファイルの撮影時間を表すファイル時間情報を格納する領域である。例えば、撮影時間「１２時５０分４５秒」は、ファイル時間情報「１２５０４５」として表すものとする。画像ファイルが動画像ファイルの場合は、撮影開始時間を表す情報が、ファイル時間情報として格納される。なお、ファイル日付情報およびファイル時間情報が、特許請求の範囲に記載の撮影日時情報に相当する。
【００６３】
ファイル識別情報記憶領域２０９は、画像識別情報を記憶する領域である。画像識別情報は、識別画像記憶領域１３ｎに記憶されているフレーム画像の有色領域を着色する色を示す情報であり、後述する図７のフローチャートに示す配置順決定処理のＳ１０６ａにおいて各動画像ファイル毎に異なるように算出される。
【００６４】
以降の説明では、各画像ファイルのヘッダに記述された情報を読み出してくることにより、総フレーム数、ｆｐｓ情報、ファイル日付情報およびファイル時間情報を取得するものとするが、他の手段により、これらの情報を取得しても良い。
【００６５】
本実施形態のＭＦＰ１は、ファイル情報記憶領域１３ｈに格納された各画像ファイルの固有情報に基づいて、撮影日時に従った順序でインデックス画像が配列されるように、インデックス画像の配置順序を決定する。決定した配置順序を示す情報は、図５に示す配置情報記憶領域１３ｉに格納する。
【００６６】
図５は、配置情報記憶領域１３ｉの構成を模式的に示す図である。図５に示すように、配置情報記憶領域１３ｉは、ファイルＩＤ、グループＮｏ、抽出フレーム番号、画像日付情報、画像時間情報、画像識別情報からなる配置情報３００と、その配置情報３００に対応する配置順序とを記憶する。
【００６７】
図５に示すように、配置情報記憶領域１３ｉには、配置順序記憶領域３０１、ファイルＩＤ記憶領域３０２、グループＮｏ記憶領域３０３、抽出フレーム番号記憶領域３０４、画像日付情報記憶領域３０５、画像時間情報記憶領域３０６、画像識別情報記憶領域３０７が設けられる。
【００６８】
配置情報記憶領域３０１は、配置順序を記憶する領域である。後述する配置印刷処理（図１０，図１１参照）では、配置順序に従った順序で、配置情報３００が読み出され、各配置情報３００で特定されるフレーム画像または静止画像のインデックス画像が、配置順序に従った順序で、画像一覧２０に配列される。
【００６９】
ファイルＩＤ記憶領域３０２は、ファイルＩＤを記憶する領域である。図４を参照して説明したように、ファイル情報記憶領域１３ｈには、ファイルＩＤとファイル名とが１対１で対応付けて記憶されているので、ファイルＩＤから、１の画像ファイルを特定することができる。
【００７０】
グループＮｏ記憶領域３０３は、グループＮｏを記憶する領域である。なお、グループＮｏについては、図６を参照して後述する。
【００７１】
抽出フレーム番号記憶領域３０４は、抽出フレーム番号を記憶する領域である。上述したように、１の動画像ファイルについて複数のフレーム画像情報が抽出される。よって、先頭から数えて何番目のフレーム画像情報であるかを示す情報が、「抽出フレーム番号」として、抽出フレーム番号記憶領域３０４に格納される。
【００７２】
ここで、「抽出フレーム番号」は、「総フレーム数記憶領域２０５」に記憶された動画像ファイルの総フレーム数と、「抽出フレーム数記憶領域１３ａ」に記憶された抽出フレーム数と、動画像のうち何枚目に抽出されるかを表すフレーム画像抽出数カウンタ値を用いて、例えば、下記のように算出することができる。
（抽出フレーム番号）＝［（フレーム画像抽出数カウンタ値−１）×（総フレーム数）÷（抽出フレーム数）］
ここで［］はガウス記号を表し、［ａ］はａを超えない最大の整数を表す。
【００７３】
画像日付情報記憶領域３０５は、ファイルＩＤ記憶領域３０２に格納されたファイルＩＤで特定される画像ファイルの撮影日を表す画像日付情報が格納される領域である。画像時間情報記憶領域３０６は、撮影時間を表す画像時間情報が格納される領域である。静止画像ファイルについては、ファイル情報記憶領域１３ｈの対応する領域に格納されたファイル時間情報が、この画像時間情報記憶領域３０６にコピーされる。
【００７４】
一方、動画像ファイルについては、その動画像ファイルから複数のフレーム画像情報が抽出されるので、フレーム画像情報毎に、撮影時間を表す画像時間情報を取得し、画像時間情報記憶領域３０６に記憶する。なお、フレーム画像情報毎の画像時間情報を算出する具体的演算例については、図７に示すフローチャートを参照して後述する。
【００７５】
画像識別情報記憶領域３０７は、フレーム画像情報毎に画像識別情報を記憶する領域である。画像識別情報は、各動画像ファイル毎に異なるように算出されるので、同一の動画像ファイルから抽出される各フレーム画像情報に対応付けられた画像識別情報にも、前記動画像ファイルに対応した同じ画像識別情報が記憶される。
【００７６】
後述する配置印刷処理（図１０，図１１参照）では、この配置情報記憶領域１３ｉに記憶された配置情報３００に基づいて、同一の動画像ファイルから抽出されるインデックス画像に、同じ識別画像（有色領域が同じ色で着色されたフレーム画像）を合成した画像一覧２０（図３参照）を印刷出力すると共に、インデックス画像が撮影日時に従った順序で配列された画像一覧２０を印刷出力する。
【００７７】
さらに、本実施形態のＭＦＰ１は、インデックス画像を撮影日毎のグループに分類し、グループ毎に画像一覧２０を印刷出力する。例えば、「２００８年１月１５日」に撮影した画像ファイルと、「２００８年１月２０日」に撮影した画像ファイルとがメディアカードに格納されているのであれば、「２００８年１月１５日」に撮影された画像ファイルのインデックス画像からなる画像一覧２０と、「２００８年１月２０日」に撮影された画像ファイルのインデックス画像からなる画像一覧２０とを印刷出力するように構成されている。
【００７８】
図６は、グループ情報記憶領域１３ｇの構成の一例を示す図である。図６に示すように、グループ情報記憶領域１３ｇには、グループ数記憶領域４０１と、グループ単位情報記憶領域４０２と、グループＮｏ記憶領域４０３とが設けられている。
【００７９】
グループ数記憶領域４０１は、インデックス画像を分類するために生成されたグループ数を記憶する領域である。図６に示す例では、インデックス画像を分類するために「１０」のグループが生成されたことを示している。
【００８０】
グループ単位情報記憶領域４０２は、グループ毎の情報を記憶する領域である。グループ単位情報記憶領域４０２には、グループＮｏを記憶する記憶領域４０３と、そのグループＮｏで特定されるグループに分類されるインデックス画像の数を記憶するグループ画像数記憶領域４０４とが設けられる。図６に示す例では、グループＮｏが「１」のグループに、「１０」個のインデックス画像が分類されることを示している。
【００８１】
本実施形態のＭＦＰ１によれば、グループ毎の画像一覧２０を出力することにより、ユーザはグループ毎（撮影日毎）に画像一覧２０を視認することができるから、ユーザは撮影日ごとのグループに分類された閲覧性の良い画像一覧を得ることができる。
【００８２】
図７は、ＭＦＰ１で実行される配置順決定処理（Ｓ１００）を示すフローチャートである。図７に示す配置順決定処理（Ｓ１００）は、スロット部６にメディアカードが装着され、ユーザにより画像一覧２０の印刷出力の実行指示が入力されると実行される。
【００８３】
この配置順決定処理（Ｓ１００）は、動画像ファイルから抽出するフレーム画像情報と、メディアカードから読み出される静止画像ファイルとの各々について、各画像情報の撮影日時を表す画像日付情報および画像時間情報を取得し、その取得した画像日付情報および画像時間情報を条件として、インデックス画像の配置順序を決定する処理である。
【００８４】
まず、ユーザが操作部４から入力した値を、「フレーム画像抽出枚数」として抽出フレーム数記憶領域１３ａに記憶する（Ｓ１０１）。次に、メディアカード内に格納された静止画像ファイルと動画像ファイルとの合計を示す「総処理ファイル数」を算出し、処理ファイル数記憶領域１３ｂに記憶する（Ｓ１０２）。
【００８５】
次に、処理ファイル数カウンタ、処理画像数カウンタ、フレーム画像抽出枚数カウンタ、動画像ファイル数カウンタを、それぞれ０で初期化する（Ｓ１０３）。なお、これらのカウンタは、カウンタ記憶領域１３ｍ（図２参照）に設けられている。
【００８６】
次に、メディアカードに格納された画像ファイルのうち、１の画像ファイルを処理対象として選択し、その画像ファイルのファイル名、画像ファイルの種類を取得する。そして取得したファイル名および画像ファイルの種類を示す値を、処理ファイル数カウンタ値のファイルＩＤに対応した、ファイル名記憶領域２０２、ファイル種類記憶領域２０３（図４参照）へ、それぞれ記憶する（Ｓ１０４）。
【００８７】
そして、選択した画像ファイルが動画像ファイルであるか静止画像ファイルであるかを判断する（Ｓ１０５）。動画像ファイルであると判断した場合（Ｓ１０５：動画像）、その動画像ファイルのファイル日付情報、ファイル時間情報、およびｆｐｓを表すｆｐｓ情報を、その動画像ファイルのヘッダから取得する（Ｓ１０６）。
【００８８】
そして、動画像ファイル数カウンタが示す動画像ファイル数カウンタ値に応じた色値に基づいて、画像識別情報を算出する（Ｓ１０６ａ）。具体的には、動画像ファイル数カウンタに記憶されている値をＭＩｎｄｅｘとして、下記の式により、ＨＳＶ色空間で定義されるＨ値、Ｓ値、Ｖ値に対応する各々の色値、ＣｏｌＨ，ＣｏｌＳ，ＣｏｌＶを求める。
【００８９】
ＣｏｌＨ＝（ＭＩｎｄｅｘ×６７）ｍｏｄ３６０
ＣｏｌＳ＝１．０
ＣｏｌＶ＝１．０
但し、
Ｈ値は０〜３６０の範囲であり、Ｓ値、及びＶ値は０．０〜１．０の範囲とする。
【００９０】
そして、上記の式で算出された各ＣｏｌＨ，ＣｏｌＳ，ＣｏｌＶの各々を、ＲＧＢ色空間のＲ値、Ｇ値、Ｂ値（ＲＧＢ値）に変換し、その変換したＲＧＢ値を、現在、算出対象となっている動画像ファイルの画像識別情報として算出する。尚、Ｒ値、Ｇ値、Ｂ値はそれぞれ０〜２５５の範囲とする。
尚、ＨＳＶは、色相（Ｈ）、彩度(Ｓ）、輝度(Ｖ）を意味しており、ＨＳＶ色空間からＲＧＢ色空間への変換式は一般的なので省略する。
【００９１】
このように、同一の動画像ファイル毎に、異なる色値から変換したＲＧＢ値を有する画像識別情報を算出するので、確実に、各動画像ファイル毎に異なる画像識別情報を生成することができる。また、本実施形態の場合には、ＣｏｌＨを算出する係数として「６７」を採用しているので、より多くの異なる画像識別情報を生成することができ、数多くの動画像ファイルが存在している場合であっても、各動画像ファイル毎に異なる画像識別情報を生成することができる。
【００９２】
そして、処理画像数カウンタ値の配置順序に対応したファイル日付情報記憶領域２０７へファイル日付情報を記憶し、ファイル時間情報記憶領域２０８へファイル時間情報を記憶し、ｆｐｓ情報記憶領域２０６へｆｐｓ情報を記憶し、ファイル識別情報記憶領域２０９へＳ１０６ａで算出した画像識別情報を記憶する（Ｓ１０７）。
【００９３】
次に処理画像数カウンタ値の配置順序に対応した配置情報記憶領域１３ｉ（図５参照）のファイルＩＤ記憶領域３０２へ、現時点における処理ファイル数カウンタの値を記憶する。また、現時点におけるフレーム画像抽出枚数カウンタの値から抽出フレーム番号を算出し、処理画像数カウンタ値の配置順序に対応した抽出フレーム番号記憶領域３０４へ記憶する（Ｓ１０８）。
【００９４】
次に、フレーム画像情報の時間情報を算出し、算出した時間情報を、画像時間情報として、配置順序に対応する画像時間情報記憶領域３０６へ記憶する（Ｓ１０９）。具体的には、まず、動画像ファイルの撮影開始時間を表すファイル時間情報をＶｉｄｅｏＴｉｍｅ、ｆｐｓ情報をＦＰＳ、フレーム画像情報の撮影時間を表す画像時間情報をＦｒａｍｅＴｉｍｅ、処理対象のフレーム画像情報を特定する抽出フレーム番号をＮとする。
【００９５】
そして、ファイル時間情報ＶｉｄｅｏＴｉｍｅを、以下のように、動画像時間情報ＶＴ＿Ｈｏｕｒ、動画像分情報ＶＴ＿Ｍｉｎｕｔｅ、動画像秒情報ＶＴ＿Ｓｅｃｏｎｄに分解する。
【００９６】
ＶＴ＿Ｈｏｕｒ＝［ＶｉｄｅｏＴｉｍｅ／１００００］
ＶＴ＿Ｍｉｎｕｔｅ＝［（ＶｉｄｅｏＴｉｍｅ−ＶＴ＿Ｈｏｕｒ×１００００）／１００］
ＶＴ＿Ｓｅｃｏｎｄ＝ＶｉｄｅｏＴｉｍｅ−（ＶＴ＿Ｈｏｕｒ×１００００＋ＶＴ＿Ｍｉｎｕｔｅ×１００）
次に、フレーム時情報Ｆｒａｍｅ＿Ｈｏｕｒ、フレーム分情報Ｆｒａｍｅ＿Ｍｉｎｕｔｅ、フレーム秒情報Ｆｒａｍｅ＿Ｓｅｃｏｎｄを、例えば、下記の数式１のように算出する。
（数式１）
ここでＣａｌ＿Ｓｅｃｏｎｄ，Ｃａｌ＿Ｍｉｎｕｔｅ，Ｃａｌ＿Ｈｏｕｒは上記情報を求めるための一時変数とする。
また、Ａ  ｍｏｄ  ＢはＡをＢで割った時の剰余を表す
Ｃａｌ＿Ｓｅｃｏｎｄ＝ＶＴ＿Ｓｅｃｏｎｄ＋［Ｎ／ＦＰＳ］
Ｃａｌ＿Ｍｉｎｕｔｅ＝ＶＴ＿Ｍｉｎｕｔｅ＋［Ｃａｌ＿Ｓｅｃｏｎｄ／６０］
Ｃａｌ＿Ｈｏｕｒ＝ＶＴ＿Ｈｏｕｒ＋［Ｃａｌ＿Ｍｉｎｕｔｅ／６０］
Ｆｒａｍｅ＿ｓｅｃｏｎｄ＝Ｃａｌ＿Ｓｅｃｏｎｄ  ｍｏｄ  ６０
Ｆｒａｍｅ＿Ｍｉｎｕｔｅ＝Ｃａｌ＿Ｍｉｎｕｔｅ  ｍｏｄ  ６０
Ｆｒａｍｅ＿Ｈｏｕｒ＝Ｃａｌ＿Ｈｏｕｒ  ｍｏｄ  ２４
以上を、例えば、下記の数式２を用いて結合し、フレーム画像情報の撮影時間を表す画像時間情報ＦｒａｍｅＴｉｍｅを算出する。
（数式２）
ＦｒａｍｅＴｉｍｅ＝Ｆｒａｍｅ＿Ｈｏｕｒ×１００００＋Ｆｒａｍｅ＿Ｍｉｎｕｔｅ×１００＋Ｆｒａｍｅ＿Ｓｅｃｏｎｄ
同様にして、動画像ファイルのファイル日付情報をＶｉｄｅｏＤａｔｅ、抽出するフレーム画像情報の画像日付情報をＦｒａｍｅＤａｔｅとすると、まずＶｉｄｅｏＤａｔｅを動画像年情報ＶＤ＿Ｙｅａｒ、動画像月情報ＶＤ＿Ｍｏｎｔｈ、動画像日情報ＶＤ＿Ｄａｙに、例えば、下記の数式３を用いて分解する。
（数式３）
ＶＤ＿Ｙｅａｒ＝［ＶｉｄｅｏＤａｔｅ／１００００］
ＶＤ＿Ｍｏｎｔｈ＝［（ＶｉｄｅｏＤａｔｅ−ＶＤ＿Ｙｅａｒ×１００００）／１００  ］  
ＶＤ＿Ｄａｙ＝ＶｉｄｅｏＤａｔｅ−（ＶＤ＿Ｙｅａｒ×１００００＋ＶＤ＿Ｍｏｎｔｈ×１００）
次に、画像日付算出処理を実行する（Ｓ１１０）。画像日付算出処理は、フレーム年情報Ｆｒａｍｅ＿Ｙｅａｒ、フレーム月情報Ｆｒａｍｅ＿Ｍｏｎｔｈ、フレーム日情報Ｆｒａｍｅ＿Ｄａｙを算出する処理である。
【００９７】
図８は、画像日付算出処理（Ｓ１１０）を示すフローチャートである。なお、図８のフローチャートに示す変数Ｍは、現日付からＭ日進めることを意味する変数である。
【００９８】
まず、フレーム年情報Ｆｒａｍｅ＿Ｙｅａｒ、フレーム月情報Ｆｒａｍｅ＿Ｍｏｎｔｈ、フレーム日情報Ｆｒａｍｅ＿Ｄａｙに、それぞれ、動画像年情報ＶＤ＿Ｙｅａｒ、動画像月情報ＶＤ＿Ｍｏｎｔｈ、動画像日情報ＶＤ＿Ｄａｙを代入する（Ｓ１２０１）。次に、変数Ｍに、［Ｃａｌ＿Ｈｏｕｒ／２４］を代入する（Ｓ１２０２）。次にＭが０であるかを判断し（Ｓ１２０３）、肯定されると（Ｓ１２０３：Ｙｅｓ）、本処理を終了する。
【００９９】
一方、否定されると（Ｓ１２０３：Ｎｏ）、フレーム日情報Ｆｒａｍｅ＿Ｄａｙを判断する（Ｓ１２０４）。「１以上２７以下」と判断されると（Ｓ１２０４：１以上２７以下）、Ｆｒａｍｅ＿Ｄａｙに「１」を加算する（Ｓ１２０５）。
【０１００】
一方、Ｓ１２０４の判断において、「２８または２９」と判断されると（Ｓ１２０４：２８ｏｒ２９）、Ｆｒａｍｅ＿Ｍｏｎｔｈが「２」であるか否かを判断する（Ｓ１２０６）。否定される場合（Ｓ１２０６；Ｎｏ）、Ｓ１２０５の処理に移行する。
【０１０１】
一方、肯定されると（Ｓ１２０６：Ｙｅｓ）、次に、Ｆｒａｍｅ＿Ｄａｙが「２８」であるかを判断する（Ｓ１２０８）。否定される場合（Ｓ１２０８：Ｎｏ）、Ｆｒａｍｅ＿Ｄａｙに「１」を代入し、Ｆｒａｍｅ＿Ｍｏｎｔｈに「１」を加算する（Ｓ１２１０）。
【０１０２】
一方、Ｓ１２０８の判断が肯定されると（Ｓ１２０８：Ｙｅｓ）、Ｆｒａｍｅ＿Ｙｅａｒで示される年がうるう年か否かを判断する（Ｓ１２０９）。肯定される場合（Ｓ１２０９：Ｙｅｓ）、Ｓ１２０５の処理に進む。否定される場合（Ｓ１２０９：Ｎｏ）、Ｓ１２１０の処理に進む。
【０１０３】
次に、Ｓ１２０４の判断において、「３０」と判断されると（Ｓ１２０４：３０）、次に、Ｆｒａｍｅ＿Ｍｏｎｔｈが４，６，９，１１のいずれかであるかを判断する（Ｓ１２１１）。肯定される場合（Ｓ１２１１：Ｙｅｓ）、Ｓ１２１０の処理に進む。
【０１０４】
一方、否定される場合（Ｓ１２１１：Ｎｏ）、Ｆｒａｍｅ＿Ｄａｙに「１」を加算する（Ｓ１２１６）。次に、Ｓ１２０４の判断において、「３１」と判断されると（Ｓ１２０４：３１）、次に、Ｆｒａｍｅ＿Ｙｅａｒが１２であるかを判断する（Ｓ１２１５）。否定される場合（Ｓ１２１５：Ｎｏ）、Ｓ１２１６の処理に進む。
【０１０５】
一方、肯定される場合（Ｓ１２１５：Ｙｅｓ）、Ｆｒａｍｅ＿Ｄａｙに「１」を代入し、Ｆｒａｍｅ＿Ｍｏｎｔｈに「１」を代入し、Ｆｒａｍｅ＿Ｙｅａｒに「１」を加算する（Ｓ１２１７）。
【０１０６】
Ｓ１２０５，Ｓ１２１０，Ｓ１２１６，Ｓ１２１７の処理の後は、変数Ｍから「１」減算し（Ｓ１２１２）、Ｓ１２０３に戻る。そして、Ｓ１２０３の判断が肯定されると（Ｓ１２０３：Ｙｅｓ）、本処理を終了する。
【０１０７】
図７に戻り説明する。図８に示す処理で算出した値を、例えば下記の数式５を用いて結合し、フレーム画像情報の撮影日付を表す画像日付情報ＦｒａｍｅＤａｔｅを算出する。算出された画像日付情報は画像日付情報記憶領域３０５へ記憶する（Ｓ１１１）。
（数式５）
ＦｒａｍｅＤａｔｅ＝Ｆｒａｍｅ＿Ｙｅａｒ×１００００＋Ｆｒａｍｅ＿Ｍｏｎｔｈ×１００＋Ｆｒａｍｅ＿Ｄａｙ
次に、画像処理別情報記憶領域３０７に、フレーム画像が生成された動画像ファイルに対応する画像識別情報を記憶する（Ｓ１１１５）。
そして、処理画像数カウンタ、およびフレーム画像抽出枚数カウンタに、それぞれ「１」を加算する（Ｓ１１３）。
【０１０８】
次に、フレーム画像抽出枚数カウンタの値が、フレーム画像抽出枚数、すなわち、その動画像ファイルから抽出するフレーム画像情報の数以上となったか否かを判断する（Ｓ１１４）。Ｓ１１４の判断が否定される場合（Ｓ１１４：Ｎｏ）、Ｓ１０８に戻り処理を繰り返す。
【０１０９】
一方、Ｓ１１４の判断が肯定される場合（Ｓ１１４：Ｙｅｓ）、次にフレーム画像抽出枚数カウンタを０で初期化し（Ｓ１１５）、動画ファイル数カウンタに１を加算する（Ｓ１２２）。そして、処理ファイル数カウンタに１を加算する（Ｓ１２２０）。ただし、前記Ｓ１２２０の入力として、Ｓ１１５の出力が入力されるのに加え、以下に説明するＳ１２１の出力も入力される。
次に、処理ファイル数カウンタの値が、メディアカードに格納される静止画像ファイルと動画像ファイルの合計を示す「総処理ファイル数」以上となったか否かを判断する（Ｓ１２３）。Ｓ１２３の判断が否定される場合（Ｓ１２３：Ｎｏ）、Ｓ１０４の処理に戻り、次の画像ファイルを処理対象として選択し、処理を繰り返す。
【０１１０】
続いて、処理対象の画像ファイルが静止画像ファイルであると判断された場合（Ｓ１０５：静止画像）について説明する。静止画像ファイルである場合、処理画像数カウンタ値の配置順序に対応したファイルＩＤ記憶領域３０２へ、現時点における処理ファイル数カウンタの値を記憶する。また、処理画像数カウンタ値の配置順序に対応した抽出フレーム番号記憶領域３０４へ「０」を記憶する（Ｓ１１５ａ）。
【０１１１】
次に、処理対象の静止画像ファイルのファイル日付情報およびファイル時間情報を取得する。そして、ファイル情報記憶領域１３ｈのうち、処理ファイル数カウンタ値のファイルＩＤに対応したファイル日付情報記憶領域２０７（図４参照）へ、ファイル日付情報を記憶し、同ファイルＩＤに対応したファイル時間情報記憶領域２０８へ、ファイル時間情報を記憶する（Ｓ１１７）。なお、ｆｐｓ情報記憶領域２０６には「０」を記憶する。
【０１１２】
そして、配置情報記憶領域１３ｉ（図５参照）のうち、処理画像数カウンタ値の配置順序に対応する画像日付情報記憶領域３０５へ、処理対象の静止画像ファイルのファイル日付情報を記憶する。また、同配置順序に対応する画像時間情報記憶領域３０６へ、処理対象の静止画像ファイルのファイル時間情報を記憶する（Ｓ１１９）。また、ファイル識別情報記憶領域２０９、及び画像識別記憶領域３０７に「０」を記憶する（Ｓ１１１９）。そして、処理画像数カウンタに１を加算し（Ｓ１２１）、Ｓ１２３の処理に移行する。
【０１１３】
このように、Ｓ１０１からＳ１２３の処理によれば、配置情報記憶領域１３ｉに、ファイルＩＤ、抽出フレーム番号、画像日付情報、画像時間情報、画像識別情報が格納されることとなるが、この時点では、まだインデックス画像の配置順序は未決定である。図９を参照して後述するＳ１２４以降の処理において、画像日付情報と画像時間情報とを条件として、配置情報をソートすることにより、撮影日時に従った配置順序が決定される。
【０１１４】
図９は、図７に示す配置順決定処理（Ｓ１００）の続きの部分を示すフローチャートであり、特に、画像日付情報に基づいて、画像一覧２０に配置するインデックス画像を分類する処理、および配置情報記憶領域１３ｉに記憶された配置情報（図５参照）を、撮影日時に従った配置順序にソートする処理の部分を示している。
【０１１５】
図９に示すように、まず、現時点における処理画像数カウンタの値を「処理画像総数」として、処理画像総数記憶領域１３ｃ（図２参照）に記憶する（Ｓ１２４）。そして、処理画像数カウンタを「０」で初期化する（Ｓ１２５）。ここで処理画像数カウンタはカウンタ記憶領域１３ｍ（図２参照）に設けられるカウンタである。
【０１１６】
次に、配置情報記憶領域１３ｉ（図５参照）の画像日付情報記憶領域３０５に記憶された、画像日付情報に従って、グループＮｏを決定する（Ｓ１２６）。具体的には、処理画像数カウンタの値の配置順序に対応する、画像日付情報記憶領域３０５の値が、既に存在するグループの値と同一の場合は、その該当するグループＮｏを、この画像情報のグループＮｏに決定し、そうでない場合は新規のグループＮｏをこの画像情報のグループＮｏとして決定する。ただしＮｏの初期値は１であり、新規のグループＮｏはそれまでで最大のグループＮｏ＋１とする。
【０１１７】
このようにすれば、撮影日が同日であるフレーム画像情報または静止画像ファイルに対応するインデックス画像を同一グループに分類される一方で、撮影日が異なるフレーム画像情報または静止画像ファイルに対応するインデックス画像は互いに別グループに分類されることとなる。
【０１１８】
そして、処理画像数カウンタの値の配置順序に対応する、グループＮｏ記憶領域３０３（図５参照）へ、決定したグループＮｏを記憶する（Ｓ１２７）。次に、処理画像数カウンタに「１」を加算し（Ｓ１２８）、処理画像数カウンタの値が、処理画像総数に記憶された値以上となったかを判断する（Ｓ１２９）。そして、Ｓ１２９の判断が否定される場合（Ｓ１２９：Ｎｏ）、Ｓ１２６から処理を繰り返す。
【０１１９】
一方、Ｓ１２９の判断が肯定される場合（Ｓ１２９：Ｙｅｓ）、グループＮｏの最大値を、グループ数記憶領域４０１（図６参照）に記憶する（Ｓ１３０）。そして、グループＮｏの小さい順に、配置情報をソートする（Ｓ１３１）。なお、Ｓ１３１の処理においては、グループＮｏの小さい順に配置情報をソートすることができれば良いので、ソートアルゴリズムは特に限定するものではなく、例えば、クイックソート法やバブルソート法を用いることが可能である。
【０１２０】
なお、図５に示す配置情報記憶領域１３ｉは、配置情報記憶領域１３ｉに記憶された配置情報が、グループＮｏの小さい順にソートされた状態を模式的に図示している。
【０１２１】
図９に戻り説明する。次に、同一グループＮｏに含まれることとなるインデックス画像数を算出し（Ｓ１３２）、グループＮｏと対応付けてグループ画像数記憶領域４０４へ記憶する（Ｓ１３３）。次に、グループカウンタを１で初期化する（Ｓ１３４）。このグループカウンタは、カウンタ記憶領域１３ｍ（図２参照）に設けられるカウンタである。
【０１２２】
次に、画像時間情報の小さい順に配置情報をソートする（Ｓ１３５）。このソートはグループ単位で行う。これにより、配置情報で特定されるインデックス画像の各々について、対応する配置順序が決定する。
【０１２３】
すなわち、同一グループに分類されたインデックス画像内で、画像時間情報（撮影時情報）に従った配置順序を決定する。後述する配置印刷処理（Ｓ２００）では、グループ毎に画像一覧２０が印刷出力されるが、同一グループ内のインデックス画像は、画像時間情報が小さい順に配列されているから、１グループ内に多数のインデックス画像が含まれる場合であっても、ユーザは撮影時間順に整列した閲覧性の良い画像一覧を得ることができる。
【０１２４】
なお、画像時間情報が同一である場合は、元々の配置順序を変更しないことが好ましいので、Ｓ１３５の処理では、バブルソートなど単純なソートアルゴリズムが好適に用いられる。
【０１２５】
次に、グループカウンタに１を加算し（Ｓ１３６）、グループカウンタの値がグループ数記憶領域４０１（図６参照）のより大となったかを判断する（Ｓ１３７）。Ｓ１３７の判断が否定される場合（Ｓ１３７：Ｎｏ）、Ｓ１３５に戻り処理を繰り返す。一方、全てのグループについての処理を終了し、Ｓ１３７の判断が肯定されると（Ｓ１３７：Ｙｅｓ）、配置順決定処理（Ｓ１００）を終了する。
【０１２６】
図１０は、配置印刷処理（Ｓ２００）を示すフローチャートである。図１０に示す配置印刷処理（Ｓ２００）は、図７から図９を参照して説明した配置順決定処理（Ｓ１００）に続けて実行される処理であり、画像一覧２０を記録用紙に印刷出力する処理である。
【０１２７】
まず、画像一覧２０に配列される横一列分のインデックス画像の数を示す「横方向の配置枚数」を、横方向画像配置数記憶領域１２ｂから読み出す（Ｓ２０１）。次に、１ページ分の画像一覧２０に配置可能なインデックス画像の数を示す「１ページ内画像配置数」を、１ページ画像配置数記憶領域１２ｃから読み出す（Ｓ２０２）。
【０１２８】
次に、グループカウンタを１で初期化する（Ｓ２０３）。以降の処理では、このグループカウンタは、処理対象のグループのグループＮｏを示すカウンタとして機能する。次に、ページカウンタを１で初期化する（Ｓ２０４）。以降の処理では、このページカウンタは、処理対象のグループのうち、何ページ目の画像一覧２０を処理対象としているのかを示すカウンタとして機能する。ページカウンタはカウンタ記憶領域１３ｍ（図２参照）に設けられるカウンタである。
【０１２９】
次に、グループカウンタ値のグループＮｏに対応するグループ画像数を、グループ画像数記憶領域４０４から読み出す（Ｓ２０５）。すなわち、そのグループＮｏのグループに分類されたインデックス画像の数を取得する。そして、読み出した「グループ画像数」と「１ページ内画像配置数」とから、処理対象のグループについて、何ページ分の画像一覧２０を印刷出力するかを示す「生成ページ数」を算出し、生成ページ数記憶領域１３ｄ（図２参照）へ記憶する（Ｓ２０６）。本実施形態では、「生成ページ数」は、例えば下記の数式６を用いて算出する。
（数式６）
（生成ページ数）＝［（グループ画像数）／（１ページ内画像配置数）］＋１
次に、レイアウト画像カウンタを０で初期化し（Ｓ２０７）、１ページの記録用紙内に配置する画像の枚数ｌａｙｏｕｔ＿ｎｏを算出する（Ｓ２０８）。本実施形態においては、ｌａｙｏｕｔ＿ｎｏは、例えば下記の数式７を用いて算出する。
（数式７）
（ページカウンタ値）＜生成ページ数  の時
ｌａｙｏｕｔ＿ｎｏ＝（１ページ内画像配置数）
（ページカウンタ値）≧生成ページ数  の時
ｌａｙｏｕｔ＿ｎｏ＝（グループ画像数）−｛（１ページ内画像配置数）×（ページカウンタ値）｝
次に、配置順序に対応したファイルＩＤ、抽出フレーム番号、画像識別情報を配置情報記憶領域１３ｉから読み出す（Ｓ２０９）。そして、読み出したファイルＩＤに対応する画像ファイルが、動画像ファイルであるか静止画像ファイルであるかを判定する（Ｓ２１０）。
【０１３０】
Ｓ２１０の判定において、動画像ファイルと判定される場合（Ｓ２１０：動画像）、次に、動画像ファイルから上記抽出フレーム番号で特定される１フレーム画像分のフレーム画像情報を抽出する（Ｓ２１１）。
【０１３１】
次に、抽出したフレーム画像情報をデコード処理し、デコードデータ記憶領域１３ｋへ格納する（Ｓ２１２）。そして、デコードしたフレーム画像情報をインデックス画像のサイズに縮小または拡大し、ＲＡＭ１３（図２参照）に設けられた配置用バッファの所定位置に配置する（Ｓ２１３）。
【０１３２】
そして、その配置用バッファに配置されたフレーム画像情報に識別画像を合成する（Ｓ２１３ａ）。具体的には、Ｓ２０９で読み出した画像識別情報から、識別画像記憶領域１３ｎに記憶されている識別画像の有色領域に着色する色を特定し、その色で着色された有色領域を有する識別画像の透明領域に、フレーム画像情報（インデックス画像）を配置して両者を合成する。
【０１３３】
一方、Ｓ２１０の判定において、静止画像ファイルと判定される場合（Ｓ２１０：静止画像）、配置順序に対応したファイルＩＤで特定される静止画像ファイルをデコード処理して、デコードデータ記憶領域１３ｋへ格納する（Ｓ２１４）。そして、デコードされた静止画像ファイルをインデックス画像のサイズに縮小または拡大し、配置用バッファの所定位置に配置する（Ｓ２１５）。
【０１３４】
このようにして、フレーム画像情報または静止画像ファイルのいずれかをデコード処理して配置用バッファに配置する処理を実行した後、次に、横方向に配置できる画像数の上限である「横方向の配置枚数」回分、処理を行ったか否かを判断する（Ｓ２１６）。Ｓ２１６の判断が否定される場合（Ｓ２１６：Ｎｏ）、次のデータの配置位置を示す横方向位置を更新する（Ｓ２２０）。
【０１３５】
そして、レイアウト画像カウンタに「１」を加算し（Ｓ２２１）、レイアウト画像カウンタの値が、現在の処理対象の記録用紙に配置するインデックス画像の数「ｌａｙｏｕｔ＿ｎｏ」以上となったか否かを判断する（Ｓ２２２）。Ｓ２２２の判断が否定される場合（Ｓ２２２：Ｎｏ）、Ｓ２０９の処理に戻り、次の配置順序に対応した配置情報を処理する。
【０１３６】
このようにして、処理を繰り返すことにより、メディアカードに格納される動画像ファイルの各々から、抽出フレーム数（特許請求の範囲に記載の所定枚数に相当）のフレーム画像に相当するフレーム画像情報が抽出され、配置バッファに配置される。また、メディアカードに格納される静止画像ファイルが抽出され、配置バッファに配置される。
【０１３７】
このようにして処理を繰り返す内に、「横方向の配置枚数」回分の配置処理が実行されると、Ｓ２１６の判断が肯定されるので（Ｓ２１６：Ｙｅｓ）、次に、配置用バッファのデータをプリンタ３（図２参照）へ渡す（Ｓ２１７）。これにより、配置用バッファに配置された、横一列分のインデックス画像に対応したデータが、プリンタ３による印刷処理にかけられ、画像一覧２０を出力することができる。
【０１３８】
そして、次の処理対象のインデックス画像の横方向配置位置を示す横方向位置を初期化し（Ｓ２１８）、また、縦方向配置位置を示す縦方向位置を更新する（Ｓ２１９）。すなわち、画像一覧２０における次の列の左端から、次のインデックス画像が配列されるように、次の配置位置が決定される。そして、上述したＳ２２１、Ｓ２２２の処理を実行する。
【０１３９】
このようにして処理をしたインデックス画像の数が、処理対象の記録用紙に配置するインデックス画像数ｌａｙｏｕｔ＿ｎｏに到達すると、Ｓ２２２の判断が肯定されるので（Ｓ２２２：Ｙｅｓ）、図１１に示す次の処理に移行する。
【０１４０】
図１１は、図１０に示す配置印刷処理（Ｓ２００）の続きを示すフローチャートであって、Ｓ２２２の判断が肯定される場合に実行される。
【０１４１】
まず、配置用バッファに、未だ印刷処理を行っていないデータが存在するかを判断する（Ｓ２２３）。Ｓ２２３の判断が肯定される場合（Ｓ２２３：Ｙｅｓ）、その残りのデータをプリンタ３に渡し（Ｓ２２４）、プリンタ３にて印刷出力させ、Ｓ２２５の処理に移行する。ただし配置用バッファに画像が配置されない領域については白地出力とする。一方、Ｓ２２３の判断が否定される場合（Ｓ２２３：Ｎｏ）、Ｓ２２４の判断をスキップし、Ｓ２２５の処理に移行する。
【０１４２】
そして、１ページ分のデータ出力が完了したことを示す印刷完了命令をプリンタ３に渡す（Ｓ２２５）。そして、ページカウンタに「１」を加算する（Ｓ２２６）。次に、配置用バッファにおける次のデータの配置位置を示す横方向位置および縦方向位置を初期化する（Ｓ２２７）。そして、ページカウンタの値が、現在の処理対象のグループについて、何ページ分の画像一覧２０を印刷出力するかを示す「生成ページ数」より大となったかを判断する（Ｓ２２８）。Ｓ２２８の判断が否定される場合（Ｓ２２８：Ｎｏ）、図１０に示すＳ２０７の処理に戻り、同グループについて、次ページの処理を開始する。
【０１４３】
一方、Ｓ２２８の判断が肯定される場合（Ｓ２２８：Ｙｅｓ）、グループカウンタに１を加算する（Ｓ２２９）。そして、グループカウンタの値が、グループ数記憶領域４０１に記憶された値より大となったか否かを判断する（Ｓ２３０）。Ｓ２３０の判断が否定される場合（Ｓ２３０：Ｎｏ）、Ｓ２０４に戻り、処理を繰り返す。すなわち、次のグループＮｏで特定されるグループを処理対象として処理を繰り返す。
【０１４４】
一方、Ｓ２２８の判断が肯定される場合（Ｓ２２８：Ｙｅｓ）、配置印刷処理（Ｓ２００）を終了する。
【０１４５】
このように、このＭＦＰ１によれば、図３（ａ）を参照して説明したように、画像一覧２０内に、複数の動画像ファイルから抽出されたインデックス画像、静止画像ファイルから抽出されたインデックス画像とが混在している状態であっても、インデックス画像２１ａ，２１ｂ，２１ｃに合成された各フレームＦ１，Ｆ２，Ｆ３の色を手掛かりにすることで、同一の動画像ファイルから抽出されたインデックス画像であることが一見しただけで簡単に見分けることができる。また、ファイル時間情報（すなわち、静止画像ファイルまたはフレーム画像情報の撮影時間）に従った配置順序でインデックス画像が配列された画像一覧２０を出力することができる。
【０１４６】
次に、図１２を参照して、第２実施形態のＭＦＰ１について説明する。上記第１実施形態のＭＦＰ１では、図３（ａ）に示すように、同じ動画像ファイルから抽出されたインデックス画像には、同じ色で着色された識別画像を付加して画像一覧２０を出力する場合について説明した。
【０１４７】
これに対し、第２実施形態のＭＦＰ１では、同じ動画像ファイルから抽出されたインデックス画像には、識別画像として、各動画像ファイルの各々に割り当てられている時間を示す時計画像を付加して画像一覧２０を出力する。
【０１４８】
以下、第２実施形態のＭＦＰ１については、第１実施形態と異なる点についてのみ説明する。この第２実施形態のＭＦＰ１における図２に示すＲＭＡ１３の識別画像記憶領域１３ｎには、識別画像として、図１２（ａ）に時計画像Ｃ（長針Ｌと、短針Ｓとは除く画像）が記憶されている。そして、この時計画像Ｃにおける長針Ｌと、短針Ｓとの位置が、画像識別情報によって特定され、その特定された位置に長針Ｌと、短針Ｓとを時計画像Ｃに付加した画像を、インデックス画像に合成して印刷出力する。
【０１４９】
この長針Ｌと、短針Ｓとの位置を特定するための画像識別情報は、図７に示すフローチャートの配置順決定処理におけるＳ１０６の処理において、動画像ファイルから取得するファイル時間情報を、画像識別情報とし、その取得したファイル時間情報をＳ１０７の処理において、ファイル識別情報記憶領域２０９へ記憶する。Ｓ１１１とＳ１１３との間の処理Ｓ１１１５において、Ｓ１０６ａで算出した画像記憶情報を画像識別情報記憶領域３０７へ記憶する。このファイル時間情報と画像時間情報には、何時であるかを示す時間情報と、何分であるかを分情報とがそれぞれ含まれている。
【０１５０】
そして、図１０に示す配置印刷処理のＳ２１３ａにおいて、配置用バッファに配置されたフレーム画像情報に識別画像としての長針Ｌと、短針Ｓとが付加された時計画像Ｃを次のようにして合成する（Ｓ２１３ａ）。まず、Ｓ２０９で読み出した画像識別情報としてのファイル時間情報から時間情報と、分情報とを抽出する。そして、下記（１），（２）の条件に当てはまる領域を黒色で上書きして長針Ｌ、短針Ｓを、識別画像記憶領域１３ｎに記憶されている時計画像Ｃに付加する。
【０１５１】
尚、時計画像Ｃ上の点Ｐ（Ｒ，Ｔ）は、時計画像Ｃの中心を極として、動径Ｒ、偏角Ｔの極座標で表され、時間情報をｈｏｕｒ、分情報をｍｉｎ、時計画像Ｃの幅をｗｉｄｔｈとする。
【０１５２】
【数１】
0004569658.tif 000002
【０１５３】
【数２】
0004569658.tif 000003
【０１５４】
これにより、同一の動画像ファイルから抽出された一以上のインデックス画像の各々には、同じ時刻を示す時計画像Ｃを付加することができる。図１２（ｂ）は、第２実施形態のＭＦＰ１が印刷出力する画像一覧２０の一例を示す図である。図１２（ｂ）に示すように、画像一覧２０内のインデックス画像のうち、４つのインデックス画像２１ａには略「１２時１５分」を示す時計画像Ｃ１が合成され、２つのインデックス画像２１ｂには略「１０時２０分」を示す時計画像Ｃ２が合成され、３つのインデックス画像２１ｃには略「９時５分」を示す時計画像Ｃ３が合成される。
【０１５５】
よって、この各時計画像Ｃ１，Ｃ２，Ｃ３が示す時間を手掛かりにすることで、画像一覧２０内に、複数の動画像ファイルから抽出された複数のインデックス画像、静止画像ファイルから抽出されたインデックス画像とが混在している状態であっても、同一の動画像ファイルから抽出されたインデックス画像を一見しただけで簡単に見分けることができる。
【０１５６】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１５７】
例えば、本実施形態では、画像一覧２０を記録用紙に印刷出力するものとして説明したが、ＬＣＤ５など表示装置に画像一覧２０を表示出力する場合にも、本発明を適用できる。
【０１５８】
また、本発明を、例えば、パーソナルコンピュータに適用し、ＰＣのモニターに、画像一覧２０を表示出力する場合、あるいは、パーソナルコンピュータからプリンタを制御して画像一覧を印刷出力する場合にも、本発明を適用できる。
【０１５９】
また、上記実施形態では、全グループについて画像一覧２０が出力されるものとして説明したが、例えば、ユーザにより選択されたグループについてのみ画像一覧２０を出力するように構成しても良い。
【０１６０】
また、上述した実施形態では、動画像ファイルおよび静止画像ファイルは、共に撮影により生成された画像ファイルであるものとして説明したが、動画像ファイルおよび静止画像ファイルは、撮影以外の方法で生成されるものであっても、本発明を適用可能である。その場合は、撮影日時に代えて、ファイルの作成日時を表すファイルの生成日時情報や、ファイルの更新日時情報など、他の条件を元に、インデックス画像の配置順序を決定するように構成されても良い。
【０１６１】
また、上述した実施形態では、メディアカード内に、静止画像ファイルと動画像ファイルとが混在している場合について説明したが、メディアカード内に動画像ファイルのみが格納されている場合にも本発明は適用可能である。
【０１６２】
また、上述した実施形態では、着脱可能なメディアカード内に記憶されている画像情報を処理対象としていたが、ＭＦＰ１の内部メモリに格納された画像情報を処理対象とする場合にも、本発明は適用可能である。
【０１６３】
また、上述した実施形態では、同一の動画像ファイルから抽出されたインデックス画像に対して、フレームＦ、時計画像Ｃを合成し、フレームＦの色、時計画像Ｃが示す時間で同一の動画像ファイルから抽出されたインデックス画像かを見分ける場合について説明したが、インデックス画像に合成する画像としては、かかるものに限定されるものではない。例えば、文字、数字、記号等であっても良く、また、文字、数字、記号、色、図形を２種類以上組み合わせたものであっても良い。また、各インデックス画像に識別画像を付加せずに、同一の動画像ファイルから抽出されたインデックス画像を連結するような図形を付加したり、同一の動画像ファイルから抽出されたインデックス画像を囲むような図形を付加しても良い。
【図面の簡単な説明】
【０１６４】
【図１】本発明の画像処理装置の実施形態であるＭＦＰの外観構成を示した斜視図である。
【図２】ＭＦＰの電気的構成を示すブロック図である。
【図３】ＭＦＰが印刷出力する画像一覧の一例を示す図である。
【図４】ファイル情報記憶領域の構成を模式的に示す図である。
【図５】配置情報記憶領域の構成を模式的に示す図である。
【図６】グループ情報記憶領域の構成の一例を示す図である。
【図７】配置順決定処理を示すフローチャートである。
【図８】画像日付算出処理を示すフローチャートである。
【図９】図７に示す配置順決定処理の続きの部分を示すフローチャートである。
【図１０】配置印刷処理を示すフローチャートである。
【図１１】図１０に示す配置印刷処理の続きを示すフローチャートである。
【図１２】ＭＦＰが印刷出力する画像一覧の一例を示す図である。
【符号の説明】
【０１６５】
１                ＭＦＰ（画像処理装置の一例）
３                プリンタ記録手段の一部
６                スロット部（取得手段の一部）
２０              画像一覧
２１ａ，２１ｂ，２１ｃ    インデックス画像（フレーム画像の一例）
２２              インデックス画像（静止画像の一例）
Ｓ２１１          抽出手段の一部
Ｓ１０６ａ        設定手段の一部
Ｓ２１３ａ        生成手段の一部
Ｓ２２５          出力制御手段の一部
Ｓ１２２          総数入手手段の一部
Ｓ２０９          識別情報割当手段の一部
Ｓ１０６          時間情報入手手段の一部
Ｆ１，Ｆ２，Ｆ３          フレーム（識別情報の一例）
Ｃ１，Ｃ２，Ｃ３          時計画像（識別情報の一例）
【図１】
0004569658.tif 000004
【図２】
0004569658.tif 000005
【図３】
0004569658.tif 000006
【図４】
0004569658.tif 000007
【図５】
0004569658.tif 000008
【図６】
0004569658.tif 000009
【図７】
0004569658.tif 000010
【図８】
0004569658.tif 000011
【図９】
0004569658.tif 000012
【図１０】
0004569658.tif 000013
【図１１】
0004569658.tif 000014
【図１２】
0004569658.tif 000015